(57)【要約】      （修正有）【課題】自動車等に使用されている内張り固定用のクリップを円滑に、破損することなく確実で容易に取り外すことが出来、他の品物にキズをつけることなく、かつ感触のよいハンドル操作で把持が出来るクリップ取り外し工具を提供する。【解決手段】エラストマ樹脂からなり四角の断面形状のハンドル１には細長のロッド２が伸延して形成される。ロッド２の先端には弧状部７を有するシャープな傾斜部３が形成される。傾斜部３の先端にはクリップの溝に円滑に嵌り込むＵ字形状の嵌合溝が形成される。傾斜部３には保護チューブ８が挿着され他の品物のキズ付きを防止している。【選択図】図１
0003187683.tif 000002
【実用新案登録請求の範囲】
【請求項１】
自動車等に使用される内張りの固定用のクリップを破損することなく容易に取り外すために使用されるクリップ取り外し工具であって、該工具は、把持部である樹脂製のハンドルと、該ハンドルの一端から伸延する細長のロッドからなり、前記ロッドはその先端側に緩い下り傾斜でその下り端から上方に緩い上り傾斜する傾斜部が形成され、前記傾斜部はその先端に前記クリップの溝に嵌り込むＵ字形状の嵌合溝を形成し、前記傾斜部は前記下り端に弧状部を形成し、前記傾斜部には熱収縮性で加熱により容易に交換出来る保護チューブが挿着され、前記傾斜部は先端側に向かって縮寸しシャープ形状に形成されることを特徴とするクリップ取り外し工具。
【請求項２】
前記ハンドルがエラストマ樹脂からなり、その断面が四角形状に形成されるものからなることを特徴とする請求項１に記載のクリップ取り外し工具。
【考案の詳細な説明】
【技術分野】
【０００１】
本考案は、例えば、自動車等に使用されている内張りを固定するために使用されるクリップを円滑に破損することなく容易に取り出し出来るクリップ取り外し工具に関する。
【背景技術】
【０００２】
例えば、自動車には室内側に内張りが設けられ、この内張りの固定用には溝を有するクリップが使用されている。内張りは使用により汚れたり、又は破れたりする場合があり、これを取り外して新しいものと交換することが行われている。そのためには、クリップを破損することなく安全に、円滑に、かつ容易に取り外しすることの出来る工具が必要であり、従来より種々の取り外し工具が存在していた。その一例として本考案と比較的似ているものとして「特許文献１」が挙げられる。
【先行技術文献】
【特許文献】
【０００３】
【特許文献１】特開平１１−１２３６６５号（図１）
【考案の概要】
【考案が解決しようとする課題】
【０００４】
「特許文献１」の「特開平１１−１２３６６５号」の「クリップ取り外し工具」は後に説明する本考案と全体として似ている形成のものからなるが、その全体構造については図示のみであって詳細な説明がないものからなり、その特徴としては先端のＵ字状の嵌合溝にあり、特許としての効果はその取り外しが円滑に行う方法について主点を有するものである。従って、後に説明する本考案のようにハンドルの形状や材質について開示するものではなく、本考案における傾斜部の下り端に弧状部を形成し、かつ保護チューブを挿着しているような特徴については全く開示しているものではなく、前記のように取り外しの円滑性についての方法に主点をおくもので本考案とは構成において大きく相違するものである。
【０００５】
本考案は、内張用のクリップを安全に、円滑に、クリップを破損させることなく容易に取り外しが出来るように全体構造を形成したものであり、特殊なハンドルの形状や材質や傾斜部における弧状部の形成や保護チューブを設けた点に大きな特徴を有するクリップ取り外し工具を提供することを目的としている。
【課題を解決するための手段】
【０００６】
本考案は、以上の目的を達成するために、請求項１の考案は、自動車等に使用される内張りの固定用のクリップを破損することなく容易に取り外すために使用されるクリップ取り外し工具であって、該工具は、把持部である樹脂製のハンドルと、該ハンドルの一端から伸延する細長のロッドからなり、前記ロッドはその先端側に緩い下り傾斜でその下り端から上方に緩い上り傾斜する傾斜部が形成され、前記傾斜部はその先端に前記クリップの溝に嵌り込むＵ字形状の嵌合溝を形成し、前記傾斜部は前記下り端に弧状部を形成し、前記傾斜部には熱収縮性で加熱により容易に交換出来る保護チューブが挿着され、前記傾斜部は先端側に向かって縮寸しシャープ形状に形成されることを特徴とする。
【０００７】
また、請求項２の考案は、前記ハンドルがエラストマ樹脂からなり、その断面が四角形状に形成されるものからなることを特徴とする。
【考案の効果】
【０００８】
本考案の請求項１及び２のクリップ取り外し工具によれば、ハンドルが四角でエラストマ樹脂からなり、回転し易いと共に手にやさしい感触を与えることが出来る。また、弧状部の形成によりこの部分を滑り易いテコの原点とすることが出来、更に保護チューブの存在によりクリップの回りの品物に傷を与えない効果を上げることが出来る。即ち、安全，円滑でクリップの破損もなく容易に確実のクリップの取り外しが出来る効果を上げることが出来る。
【図面の簡単な説明】
【０００９】
【図１】本考案の全体形状を示す平面図。
【図２】その上面図。
【図３】図２の右側面図。
【図４】図２のハンドルの部分断面図。
【図５】図２における先端の嵌合溝の拡大図。
【図６】図１の先端部の拡大図。
【考案を実施するための形態】
【００１０】
以下、本考案のクリップ取り外し工具の実施の形態を図面を参照して詳述する。
【実施例１】
【００１１】
図１及び図２に示すように、本考案のクリップ取り外し工具１００は樹脂製（エラストマ樹脂）のハンドル１とこの端から伸延する細長なロッド２とからなり、ロッド２の先端側には傾斜部３が形成され、先端にはＵ字形状の嵌合溝４が形成されている。
【００１２】
ハンドル１は図４に示すような断面形状を有しているが、その構造としてはロッド２を確実に保持する構造からなり、把持し易く、かつ回り易いカーブ状の外観形状や四角形状が形成されるものからなる。特に、四角形状により、把持性がよく、かつ回し易い形状のものからなる。また、ハンドルはエラストマ樹脂からなり、手にやさしい感触を与えることが出来る。また、ハンドル１の後端には吊り下げ用の紐等の貫通するための孔５が形成されている。
【００１３】
ロッド２は図１，図２，図４等に示すように細長の棒体からなり、その先端側には下り傾斜と上り傾斜をした傾斜部３が形成され、かつ傾斜部３は先端側に向かって縮寸されシャープの形状を形成している。そのため先端には略丸型に拡径した平面積部６が形成されているこの平面積部６にはＵ字形状の嵌合溝４が形成されている。この嵌合溝４は図略のクリップの溝に嵌り込む形状のものからなる。また、傾斜部３の下り傾斜と上り傾斜の交叉する位置には弧状部７が形成されている。また、この傾斜部３には保護チューブ８が挿着されている。この保護チューブ８は熱収縮のものからなり、加熱により誰でもが簡単に交換又は取り付けすることが出来る。また、劣化した時も容易に交換出来る。
【００１４】
図５は嵌合溝４の詳細構造を示すものでありクリップの溝に挿入し易くするためにラウンド４ａが端面に形成される。また、Ｕ字形状としても基点側に向かって縮寸するテーパ状のものからなる。また、図６は傾斜部３の先端に向かってのシャープの形状の詳細構造を示すものであり、最先端は極めて薄い寸法のもの（例えば、０．２ｍｍ程度）のものからなり、シャープ傾斜角としては例えば、８．５°位の鋭いものからなる。
【００１５】
以上の形状のクリップ取り外し工具１００でクリップを取り外すには傾斜部３の嵌合溝４をクリップの溝に挿入し傾斜部３の弧状部７を支点としたテコ運動を円滑に行うことにより行われる。この場合保護チューブ８の存在によりクリップの回りの品物を傷つけることを防止することが出来る。また、ハンドル１の形状及び材質により円滑に把持が出来、手になじむ機能を有することが出来る。
【００１６】
本考案のクリップ取り外し工具１００は以上の構造のものからなるが、その内容は前記のものに限定されるものではなく、同一技術的範疇のものが適用されることは勿論である。
【産業上の利用可能性】
【００１７】
本考案のクリップ取り外し工具１００は内張用のクリップの取り外しに使用されるが、クリップとしては内張用に限定するものではなく、その他に使用されるクリップに対しても本考案のクリップ取り外し工具１００は使用され、その利用範囲は広い。また、嵌合溝４についても大きな形状は各種のものがあり、その利用範囲は極めて広い。
【符号の説明】
【００１８】
１      ハンドル
２      ロッド
３      傾斜部
４      嵌合溝
４ａ    ラウンド
５      孔
６      平面積部
７      弧状部
８      保護チューブ
１００  クリップ取り外し工具
【図１】
0003187683.tif 000003
【図２】
0003187683.tif 000004
【図３】
0003187683.tif 000005
【図４】
0003187683.tif 000006
【図５】
0003187683.tif 000007
【図６】
0003187683.tif 000008